(57)【要約】【課題】  色変調及び輝度変調を好適に行える電気光学装置を提供する。【解決手段】電気光学装置（１）は、入力画像信号に含まれる色情報に基づいて、表示しようとする画像の色を調整する有機ＥＬパネル（１０）と、前記入力画像信号に含まれる輝度情報に基づいて、前記画像の輝度を調整する液晶パネル（２０）と、を備える。これら有機ＥＬパネル及び液晶パネルは、それぞれ、自発光する有機ＥＬ物質及び光の透過率を調整する液晶を含む。以上の構成に基づき、本発明に係る電気光学装置は、その全体として、いわば１個の画像を表示することになるが、当該画像の色変調は有機ＥＬパネルが行い、その輝度変調は液晶パネルが行う。【選択図】図１
2010066537.tif 000002
【特許請求の範囲】
【請求項１】
所定の電位又は電流が与えられることによって、その光学的特性が変化する電気光学物質を含む、第１及び第２電気光学パネルと、
これら第１及び第２電気光学パネルのそれぞれに供給される色情報及び輝度情報を、入力画像信号に基づいて算出する信号分離手段と、
を備えた電気光学装置であって、
前記第１電気光学パネルに含まれる前記電気光学物質は有機ＥＬ（electro luminescent）物質を含み、かつ、前記第２電気光学パネルに含まれる前記電気光学物質は液晶を含み、
前記第１電気光学パネルは、
前記色情報に基づいて、表示しようとする画像の色を調整し、
前記第２電気光学パネルは、
前記第１電気光学パネルから発せられた光の全部又は一部を透過させ又は遮断しつつ、前記輝度情報に基づいて、前記画像の輝度を調整する、
ことを特徴とする電気光学装置。
【請求項２】
前記第１電気光学パネルは、
前記有機ＥＬ物質、並びに、これを挟持する第１及び第２電極層からなる発光素子を含み、
当該発光素子は、平面視してマトリクス状に配列され、
前記画像の色は、前記発光素子の所定の個数を１セットとして表現される、
ことを特徴とする請求項１に記載の電気光学装置。
【請求項３】
前記第２電気光学パネルは、
前記液晶、並びに、これを挟持する第３及び第４電極層からなる液晶素子を含み、
当該液晶素子は、
平面視してマトリクス状に配列され、かつ、
前記発光素子の前記１セットに対応して１個ずつ並ぶ、
ことを特徴とする請求項２に記載の電気光学装置。
【請求項４】
前記第２電気光学パネルは、
前記液晶、並びに、これを挟持する第３及び第４電極層からなる液晶素子を含み、
当該液晶素子は、
平面視してマトリクス状に配列され、かつ、
前記発光素子の１個に対応して１個ずつ並ぶ、
ことを特徴とする請求項２に記載の電気光学装置。
【請求項５】
前記輝度情報は、
前記第２電気光学パネルが所定期間ごとに前記光の全部を遮断するような情報を含む、
ことを特徴とする請求項１乃至４のいずれか一項に記載の電気光学装置。
【請求項６】
請求項１乃至５のいずれか一項に記載の電気光学装置を備える、
ことを特徴とする電子機器。
【発明の詳細な説明】
【技術分野】
【０００１】
本発明は、有機ＥＬ物質、液晶等の電気光学物質を備える電気光学装置及び電子機器に関する。
【背景技術】
【０００２】
従来、薄型ディスプレイとして、液晶ディスプレイ、有機ＥＬディスプレイ、プラズマ・ディスプレイ、電界放出ディスプレイ、等々が提案されている。
このうち液晶ディプレイは、液晶分子を含む液晶層を相対向する２つの電極で挟んだ構造を有する液晶素子をもつ。前記２つの電極間に適当な電位差が設定されると、液晶分子の配向状態は変化し、これにより当該液晶素子を透過する光の割合（透過率）が変化する。この場合における光（即ち、液晶素子を照射するための光）は、当該液晶素子とは別に用意された光源から発せられる。
このような液晶素子がマトリクス状に配列され、かつ、それら１個１個の液晶素子についての光の透過率を適当に制御すれば、所望の意味内容を持つ画像が表示可能になる。また、その１個１個の液晶素子に適当に対応させながら、赤色（Ｒ）、緑色（Ｇ）、及び青色（Ｂ）等のカラーフィルタが適当な配列態様で設けられるならば、カラー画像の表示も可能になる。
このような液晶ディスプレイとしては、例えば特許文献１に開示されているようなものが知られている。
【特許文献１】特開２００６−９１４７５号公報
【発明の開示】
【発明が解決しようとする課題】
【０００３】
ところで、上述のような液晶ディスプレイにおいては、彩り豊かな外界の状況を十分に再現できていない、あるいは、表示しようとする画像の発色性能の向上にはまだまだ改善の余地があるという問題がある。
例えば、前述したカラーフィルタを用いたカラー画像表示は、各色のカラーフィルタ（例えば、Ｒフィルタ、Ｇフィルタ及びＢフィルタ）に対応する液晶素子それぞれの光の透過率を調整することと、いわゆる加法混色の原理を利用することによって行われることになる。この際、Ｒフィルタ、Ｇフィルタ及びＢフィルタそれぞれに対応する３つの液晶素子を１セット（つまり、１画素）として、ある色を表現しようとする場合、それらの透過率を、具体的な定数であるα〔％〕、β〔％〕及びγ〔％〕に設定する、等という、当該液晶素子の駆動制御が行われる。
しかし、この場合、比ゆ的にいえば、１００−α〔％〕，１００−β〔％〕及び１００−γ〔％〕分の光の損失、即ち明度（ないしは輝度）の低下が必然的に伴う、ということがいえる。すなわち、このような場合におけるカラー画像表示では、一般に、ある色から他の色への変調を行うとすると、色合いを調整するために明度が犠牲になり、あるいは、明度を調整したいだけなのに色合いが損なわれる、などということが生じるのである（例えば、明度を落とすために前述のα乃至γの値を具体的に定めたが、表示画像全体は、図らずも青みがかってしまった、などということが生じ得る。）。
【０００４】
要するに、カラーフィルタだけを用いた単純な発色態様の調整では、明度と色合いの双方の調整が、当該カラーフィルタを透過する光の量を調整することのみを通じて行われるために、一方の要請を満たそうとすると、他方の要請が満たされない、という不具合が生じるおそれが常にあるのである。
なお、このような問題は、多かれ少なかれ、上述した各種のディスプレイにおいてもあてはまるものであって、液晶ディスプレイだけに限ったものではないと考えられる。
【０００５】
前述の特許文献１は、このような不具合にうまく対処する方法を教える。すなわち、特許文献１は、「複数の光変調素子」の具備を前提として、そのうちの「輝度パネルをなす光変調素子の制御値」と、「色パネルをなす光変調素子の制御値」とを別々に求める技術を開示する（例えば、特許文献１の〔請求項３〕等参照）。このように、輝度と色とを別々の「光変調素子」を用いることによって変調するのであれば、上述の不具合は相当程度克服される。
【０００６】
しかしながら、このような技術においても、なお改善の余地は残されている。例えば、上述の構成において、「色パネルをなす光変調素子」が、「液晶ライトバルブ…３１，３２，３３」（特許文献１の〔００２７〕、あるいは〔図１〕等参照）から構成される場合、当該光変調素子は、上述のように別途、光源（以下、「バックライト」と称する。）を必要とする。この場合、このバックライトが、全く偏りのない完全な白色光を発するのであれば大きな問題は生じないが、実際上は、そこに含まれる波長成分に関し一定の偏りをもつ光を発するのが通常である。他方、液晶を透過する光の割合は、波長ごとに異なるのが一般である。つまり、液晶における光透過率は、波長依存性をもつ。
【０００７】
そうすると、これら両者の効果により、「液晶ライトバルブ…３１，３２，３３」からなる「光変調素子」によっては、その変調の程度が所期したとおりに行われないおそれが高まる。例えば、前述のように、Ｒ，Ｇ，Ｂそれぞれに対応して光透過率α〔％〕，β〔％〕，γ〔％〕と設定しても、バックライトの偏り効果が、仮にＢにつきΔβ〔％〕見込まれるなどという場合では、透過率をα〔％〕，（β＋Δβ）〔％〕，γ〔％〕と設定したのと実質的に同じ状況が作り出されてしまう。
そして、その結果、結局は、正確な色合いの表現ないし再現が損なわれ、あるいは、正確な輝度の表現ないし再現も損なわれる（前述の「輝度パネルをなす光変調素子の制御値」は、「α〔％〕、β〔％〕、γ〔％〕」を前提として算出されているはずだからである。）、などという事象が発生しかねないことになる。
【０００８】
この点、いま述べたような、Δβの加算だけを考慮すればよいという単純な場合は勿論、現実のバックライトがより複雑な発光挙動を示す場合があること等を考慮したとしても、ガンマ補正等の各種の補正処理を適切に行うことによって、上述したような問題に丁寧に対応していくことで、その解決を図っていくことも考えられる。しかし、このような対策では、その分確実に、余計な演算、あるいは制御が要求されることになるため、処理時間の長期化、あるいはコストアップという新たな問題を引き起こすことは避けられない。
また、液晶における光透過率は、前述の波長依存性のみならず、温度依存性をももっている。つまり、当該のディスプレイの使用環境温度に応じても、光透過率は大きく、あるいは小さく変化する可能性が大きいのである。
このようなことをも考慮すると、それらの状況の相違に一々対応するべく、前述したような各種の補正処理を行うこと（特に、それだけに頼ること）は、必ずしも現実的で適切な対応策であるとはいえない。
【０００９】
本発明は、上述した課題の少なくとも一部を解決することの可能な電気光学装置、及びそれを備えた電子機器を提供することを課題とする。
【課題を解決するための手段】
【００１０】
本発明に係る電気光学装置は、上述した課題を解決するため、所定の電位又は電流が与えられることによって、その光学的特性が変化する電気光学物質を含む、第１及び第２電気光学パネルと、これら第１及び第２電気光学パネルのそれぞれに供給される色情報及び輝度情報を入力画像信号に基づき算出する信号分離手段と、を備えた電気光学装置であって、前記第１電気光学パネルに含まれる前記電気光学物質は有機ＥＬ（electro luminescent）物質を含み、かつ、前記第２電気光学パネルに含まれる前記電気光学物質は液晶を含み、前記第１電気光学パネルは、前記色情報に基づいて、表示しようとする画像の色を調整し、前記第２電気光学パネルは、前記第１電気光学パネルから発せられた光の全部又は一部を透過させ、反射し、又は遮断しつつ、前記輝度情報に基づいて、前記画像の輝度を調整する。
【００１１】
本発明によれば、第１及び第２電気光学パネルという２つのパネルが備えられることを前提に、第１電気光学パネルは、純粋な意味における色度あるいは色味の調整ないし変調だけを行い、第２電気光学パネルは、輝度の調整ないし変調だけを行うことが可能となるので、色再現を十分に行いながら、なお輝度調整をも十分に行うことが可能になる。すなわち、本発明によれば、色合いを調整するために輝度が犠牲になり、明度を調整したいだけなのに色合いが損なわれる、などといった事象の発生について殆ど心配する必要がない。
また、かかる構成によって、本発明によれば、色調整・輝度調整をより繊細に行うこと、あるいは、画像のコントラスト比を増大させること等も可能になる。前者は、例えば、色及び輝度を表現するために各別のビット列を用いること等が可能となるからである（前述の従来例のように、色及び輝度の調整を１個の電気光学パネルで行う場合、例えば、１個のビット列を、それら２種の情報でいわば分割利用する必要があるのに対して、本発明では、そのような配慮が原理上不要である。）。また、後者は、理論上は、第１及び第２電気光学パネルのコントラスト比の積が、本発明に係る電気光学装置全体のコントラスト比を決定することになるからである。
しかも、本発明では特に、第１電気光学パネルは、有機ＥＬ物質を備えることに基づいて発光し、第２電気光学パネルは、この光を透過させ又は遮断する。つまり、第１電気光学パネルは自発光することから、液晶を含む第２電気光学パネルにとって必要なバックライトを特別に設ける必要がないのである（言い換えると、第１電気光学パネルは、第２電気光学パネルにとっての光源として機能する。）。したがって、本発明においては、前述したようなバックライトそれ自体に由来する問題は発生し得ない。このようなことから、前述した本発明に係る各種の効果は、より実効的に奏されるのである。
【００１２】
この発明の電気光学装置では、前記第１電気光学パネルは、前記有機ＥＬ物質、並びに、これを挟持する第１及び第２電極層からなる発光素子を含み、当該発光素子は、平面視してマトリクス状に配列され、前記画像の色は、前記発光素子の所定の個数を１セットとして表現される、ように構成してもよい。
この態様によれば、色度調整を好適に行うことができる。例えば、本態様にいう「所定の個数」を、“３”とし、その各々に、Ｒ，Ｇ，Ｂのカラーフィルタを設ける、等といった構成によれば、これらに対応する各発光素子の発光強度を調整すること（例えば、２５６段階の調整）を通じて、所定数段階の色調整（例えば、２５６３段階の色調整）を行うことが可能になる。
【００１３】
なお、有機ＥＬ物質の中には、その性質上、通電すると、赤色発光するもの、緑色発光するもの、青色発光するもの等々、所定の色で発光するものが存在する。そのような有機ＥＬ物質を含む発光素子の利用によれば、当該発光素子の「１セット」による色表現にあたって、前記カラーフィルタが必ずしも必要とされない場合があり得る（もっとも、そのような各色発光する発光素子とカラーフィルタとの併用態様も考えられる。）。本発明は、以上のような態様をも、その範囲内に当然含む。
また、本態様は、「所定の個数」の「１セット」が、必ず、Ｒ，Ｇ，Ｂの３つに対応している必要があるわけではない。それ以外の色や、ＲＧＢの中から適宜選択された色が、「１セット」に対応してよいことは言うまでもない。
【００１４】
この態様では、前記第２電気光学パネルは、前記液晶、並びに、これを挟持する第３及び第４電極層からなる液晶素子を含み、当該液晶素子は、平面視してマトリクス状に配列され、かつ、前記発光素子の前記１セットに対応して１個ずつ並ぶ、ように構成してもよい。
この態様によれば、液晶素子の１個が、色表現の基本となる発光素子の前記１セットと対応関係にある。これにより、例えば、発光素子の１セットによって、“薄桃色”が表現される場合、その輝度は、その“薄桃色”全体に対して調整されることになる。
本態様は、このような意味において、色合い及び輝度の調整態様に関する、好適な具体例の１つを提供する。
また、本態様によれば、第２電気光学パネルを構成する液晶素子の数が、発光素子の数に比べて相対的に多くはならないので、その分、当該液晶素子を駆動するための制御回路の構成を簡易化することができる等といった利点も得られる。
【００１５】
この態様では、前記第２電気光学パネルは、前記液晶、並びに、これを挟持する第３及び第４電極層からなる液晶素子を含み、当該液晶素子は、平面視してマトリクス状に配列され、かつ、前記発光素子の１個に対応して１個ずつ並ぶ、ように構成してもよい。
この態様によれば、液晶素子の１個が、発光素子の１個と対応関係にある。これにより、例えば、発光素子の１セットによって、“薄桃色”が表現される場合においても、その輝度は、その“薄桃色”を構成する前記「所定の個数」の発光素子の１個１個に関して調整され得ることになる。
本態様は、このような意味において、色合い及び輝度の表現態様に関する、好適な具体例の１つを提供する。
また、本態様によれば、色及び輝度に関する、よりきめ細やかな調整が可能になることが明らかであるから、本態様に係る電気光学装置は、その表示画像に関し、極めて高度の表現能力（ないし再現能力）をもつことになる。
【００１６】
また、本発明の電気光学装置では、前記輝度情報は、前記第２電気光学パネルが所定期間ごとに前記光の全部を遮断するような情報を含む、ように構成してもよい。
この態様によれば、表示画像の１単位・１単位を仮に時系列に沿って並べて眺めるとするならば、その画像列には、前記所定期間ごとに“黒画像”が挟まれていくことになる。これにより、当該表示画像が例えば動画像であるような場合には、いわゆる動きボケの発生を抑制することが可能となる。
しかも、本態様では、そのような動きボケ発生防止という効果が、輝度情報の内容の変更・調整という、より簡易な手法に頼るだけで享受されるという点で、極めて有利である。
【００１７】
また、本発明の電子機器は、上記課題を解決するために、上述した各種の電気光学装置を備える。
本発明によれば、上述した各種の電気光学装置を備えてなるので、色及び輝度の調整が、それぞれ、第１及び第２電気光学パネルを通じて行われることになり、もって、より高品質の画像を表示することが可能である。
【発明を実施するための最良の形態】
【００１８】
以下では、本発明に係る実施の形態について図１乃至図３を参照しながら説明する。なお、ここに言及した図１乃至図３に加え、以下で参照する各図面においては、各部の寸法の比率が実際のものとは適宜に異ならせてある場合がある。
【００１９】
電気光学装置１は、図１に示すように、有機ＥＬパネル１０と液晶パネル２０とを備える。電気光学装置１は、これら両パネル（１０，２０）の利用によって、１個の画像を表示することが可能であるが、この場合、有機ＥＬパネル１０は、本実施形態において当該画像の色調整ないし色変調用に、また、液晶パネル２０は、当該画像の輝度調整ないし輝度変調用にそれぞれ用いられる。このような作用関連の説明については、後に改めて触れることにする。
【００２０】
上述のうち有機ＥＬパネル１０は、素子基板１１及び封止基板１２と、素子基板１１上に形成される各種の要素とを備えている。ここでいう各種の要素には、有機ＥＬ素子Ｅｄ、スイッチング素子、あるいは有機ＥＬ素子Ｅｄへの電流供給源として機能する薄膜トランジスタ（ＴＦＴ；Thin Film Transistor）（不図示）等々が含まれる。
素子基板１１及び封止基板１２は、例えばガラスや石英、プラスチックなどの透光性材料で作られる。また、これら素子基板１１及び封止基板１２は、その各々の周辺部において、図１では示されない接着剤（図２の符号１ＪＢ参照）によって接着されている。
【００２１】
有機ＥＬ素子（発光素子）Ｅｄは、図２の上方に示すような積層構造を備える。この積層構造は、画素電極１１３、発光機能層１８、及び対向電極１５からなる。
【００２２】
画素電極１１３は、図２あるいは図１に示すように、素子基板１１上（図中観点では「下」）、マトリクス状に配列するように形成されている。有機ＥＬ素子Ｅｄがマトリクス状に配列されているということは、このように画素電極１１３がマトリクス状に配列されているということに相応する（図１参照）。これら各画素電極１１３間には隔壁３４０が形成されており、各々の画素領域を画定する。隔壁３４０は、例えば絶縁性の透明樹脂材料（フッ素系樹脂、アクリル樹脂、エポキシ樹脂、あるいはポリイミドなど）から作られる。
画素電極１１３は、例えば、前記ＴＦＴ等を介して供給される電流を、発光機能層１８に印加可能である。
このような画素電極１１３は、例えばＩＴＯ（Indium Tin Oxide）等の透光性かつ導電性の材料から作られている。
【００２３】
発光機能層１８は、図２に示すように、画素電極１１３の上に（図中観点では「下に」）形成されている。この発光機能層１８は、少なくとも有機発光層を含み、有機発光層は正孔と電子の再結合現象に基づき発光する有機ＥＬ物質から構成されている。この有機ＥＬ物質が例えば高分子材料である場合、当該有機ＥＬ物質は、例えば液滴塗布法（インクジェット法）により、前記隔壁３４０により区画された各空間内のみに供給される。
このように、隔壁３４０により区画された空間のみに有機ＥＬ物質を供給する態様によると、図２に示すように、発光機能層１８を、色毎に、区別して設けることができる。図２では、図中Ｘ方向に沿って、赤色光、緑色光及び青色光それぞれ専用の有機ＥＬ物質を含む発光機能層１８Ｒ，１８Ｇ及び１８Ｂが、この順に形成されている例が示されている。図中Ｙ方向に沿っては、発光機能層１８Ｒのみが並ぶ列、発光機能層１８Ｇのみが並ぶ列、及び発光機能層１８Ｂのみが並ぶ列、がそれぞれ列設されている。有機ＥＬ素子Ｅｄは、これら発光機能層１８Ｒ，１８Ｇ及び１８Ｂの区別に従って、赤色光を発する有機ＥＬ素子ＥｄＲ，緑色光を発する有機ＥＬ素子ＥｄＧ及び青色光を発する有機ＥＬ素子ＥｄＢ，からなる（図１参照。なお、本実施形態において符号“Ｅｄ”は、これら“ＥｄＲ”、“ＥｄＧ”、“ＥｄＢ”をまとめて呼称する場合の符号として用いられている。符合“１８”についても同様である。）。
なお、発光機能層１８を構成する他の層として、電子ブロック層、正孔注入層、正孔輸送層、電子輸送層、電子注入層及び正孔ブロック層の一部又は全部を備えていてもよい。
【００２４】
対向電極１５は、図４に示すように、平面視して、素子基板１１の全面を覆うかのような矩形状（その内部に特別な開口、間隙等をもたない、いわゆるベタ状）に形成される。つまり、対向電極１５は、複数の画素電極１１３に共通するように、隔壁３４０で画定された発光機能層１８の区域及び隔壁３４０の上に広がっている。
この対向電極１５は、例えば、図示しない電源線に電気的に接続されて適当な電位（例えば、接地電位）に設定される。
このような対向電極１５は、例えば、光が透過できる程度に極薄く成膜されたＣａやＭｇ等の金属薄膜、及び、当該金属薄膜の電気抵抗を下げるため当該金属薄膜の上に成膜されたＩＴＯ等の透光性かつ導電性の薄膜、等から作られる。
【００２５】
有機ＥＬ素子Ｅｄは、以上述べた、画素電極１１３、発光機能層１８及び対向電極１５からなる構造を基礎として、発光する。すなわち、（ｉ）発光機能層１８に、陽極たる画素電極１１３から正孔が、陰極たる対向電極１５から電子が、それぞれ注入される、（ｉｉ）これらホール及び電子の再結合により励起子が生成される、（ｉｉｉ）この励起子が基底状態に遷移するときに、エネルギ放出、即ち発光現象が生じる、などというようである。なお、この際、画素電極１１３及び対向電極１５間に流れる電流の大きさと、有機ＥＬ素子Ｅｄの発光する光の強度との間には、概ね比例関係が成立する。
【００２６】
このようにして発光機能層１８から発した光は、図２中上下方向のいずれに向かっても進行可能である。素子基板１１及び封止基板１２のいずれもが透光性をもつなら、それら各方向に進行した光のいずれをも利用可能である。もっとも、本実施形態では、後述する液晶パネル２０との配置関係上、図中上側に進行する光はいわば無駄になる。
したがって、好ましくは、素子基板１１上かつ画素電極１１３下に、適当な金属材料によって作られる反射膜を形成しておく、あるいは、画素電極１１３それ自体を当該金属材料によって作っておく等とするのが好ましい。より具体的には例えば、画素電極１１３それ自体が、例えばアルミニウム（Ａｌ）、銀（Ａｇ）、又はＡｇとＩＴＯとの積層膜、等々の導電性材料から作られる、等といった態様が採用されて好適である。
このようにしおけば、発光機能層１８から発せられた光は、前記反射膜等によって反射されて図中下方に向かって進行するので（図２中の符号ＬＣを付した矢印参照）、光の利用効率が高まる。
なお、図２及び図１に示したような、素子基板１１とは反対側に向かって光ＬＣが進行するタイプは、一般に、トップエミッション型と呼ばれるが、本発明は、これとは逆、即ち素子基板１１の側に光が進行する、ボトムエミッション型に適用が不可能なわけではない（この場合、前記反射膜等は、画素電極１１３からみて、封止基板１２の側に設けられることになる。）。また、場合によっては、上述した、図２中上下方向いずれにも光を進行させるタイプであるデュアルエミッション型に対しても、本発明の適用が不可能なわけではない。
【００２７】
他方、液晶パネル２０は、素子基板２１及び対向基板２２と、素子基板２１上に形成される各種の要素とを備えている。ここでいう各種の要素には、液晶素子Ｌｄ、スイッチング素子として機能するＴＦＴ（不図示）、あるいは、液晶素子Ｌｄへの電圧印加を好適に行うための蓄積容量素子（コンデンサ）（不図示）、等々が含まれる。
素子基板２１及び対向基板２２は、例えばガラスや石英、プラスチックなどの透光性材料で作られる。また、これら素子基板２１及び対向基板２２は、その各々の周辺部において、図１では示されない接着剤（図２の符号２ＪＢ参照）によって接着されている。
【００２８】
液晶素子Ｌｄは、図２の下方に示すような積層構造を備える。この積層構造は、画素電極２１３、液晶層ＬＱ、及び対向電極２５からなる。
【００２９】
画素電極２１３は、図２あるいは図１に示すように、素子基板２１上（図中観点では「下」）、マトリクス状に配列するように形成されている。液晶素子Ｌｄがマトリクス状に配列されているということは、このように画素電極２１３がマトリクス状に配列されているということに相応する（図１参照）。これらの点については、前述の有機ＥＬ素子Ｅｄを構成する画素電極１１３と全く同じである。
【００３０】
ただ、この画素電極２１３は、図２あるいは図１に示すように、前記画素電極１１３が３個並ぶのに対応して１個並ぶ、というようにして、マトリクス状配列を形作る。つまり、有機ＥＬ素子Ｅｄの数が、全部で（“ＥｄＲ”、“ＥｄＧ”、“ＥｄＢ”のそれぞれを“１個”と数える。）、Ｘ方向にＸｅ〔個〕、Ｙ方向にＹｅ〔個〕あるとすれば、液晶素子Ｌｄは、Ｘ方向に（Ｘｅ／３）〔個〕、Ｙ方向にＹｅ〔個〕あるということになる。
このような画素電極２１３は、例えばＩＴＯ等の透光性かつ導電性の材料から作られている。
【００３１】
対向電極２５は、対向基板２２上（図中観点でも「上」）、その全面を覆うかのようにして形成されている。この対向電極２５は、例えばＩＴＯ等の透光性かつ導電性の材料から作られている。
【００３２】
液晶層ＬＱは、上述した画素電極２１３及び対向電極２５の間に挟まれるように配置されている。より正確には、この液晶層ＬＱは、画素電極２１３及び対向電極２５の上にそれぞれ形成された配向膜（不図示）の間に挟まれるように配置されている。この配向膜の表面には、液晶層ＬＱを構成する液晶分子の初期配向状態を規制する配向処理が施されている。このような配向膜は、例えばポリイミド等の樹脂材料で作られている。なお、液晶層ＬＱは、正の誘電率異方性を有する液晶を用いたＴＮモードで動作する構成をとりうる。
【００３３】
以上の構成を前提として、各液晶素子Ｌｄにつき画素電極２１３及び対向電極２５間の電位差が適当に設定されると、その間に挟持された液晶層ＬＱ内の液晶分子の配向状態が適当に変更される。これにより、有機ＥＬパネル１０からの出射光ＬＣのうち観察側に透過する光量の割合（透過率）は画素電極２１３ごとに制御される。
なお、図示はしないが、図２に示す液晶パネル２０には、当該パネル２０を図中上下両側から挟みこむ２枚の偏光板が設置される。この偏光板は、有機ＥＬパネル１０から発せられた光を偏光させ、あるいは、液晶パネル２０を透過してきた光を偏光させる。これらの偏光板による偏光の方向は、液晶層ＬＱを透過する光が受ける偏光の方向に依存して決定される。
【００３４】
次に、本実施形態に係る電気光学装置１を駆動するための構成について、図３を参照しながら説明する。かかる構成は、同図に示すように、インターフェイス４０１、ＹＣ分離回路４０２、ＥＬ駆動回路１０１、ＬＱ駆動回路２０１、制御回路Ｃ、並びに制御対象としての有機ＥＬパネル１０及び液晶パネル２０からなる。
【００３５】
インターフェイス４０１は、例えばＨＤＲ（HighDynamicRange）映像信号等の入力映像データを受け付け、これをＹＣ分離回路４０２に供給する。
ＹＣ分離回路４０２は、入力映像データに含まれる画素値Ｘ０（このＸ０は、例えば所定のビット数列等で表現される。）に基づいて、色変調用の有機ＥＬパネル１０を駆動制御するための制御値（即ち、色データ）Ｙｃと、輝度変調用の液晶パネル２０を駆動制御するための制御値（即ち、輝度データ）Ｙｂと、を算出する処理を行う（この算出処理については、後にも改めて触れる。）。
そうして、前者の色データＹｃは、ＥＬ駆動回路１０１内の色用のフレームメモリに格納され、後者の輝度データＹｂは、色変調用のＬＱ駆動回路２０１内の輝度用のフレームメモリに格納される（いずれのフレームメモリも不図示）。
【００３６】
ＥＬ駆動回路１０１は、前記色データＹｃに基づいて、有機ＥＬパネル１０を駆動する（図１も参照）。このＥＬ駆動回路１０１は、有機ＥＬパネル１０に備えられた走査線１３及びデータ線１６のそれぞれを駆動するための回路を含む。走査線１３及びデータ線１６は、図３に模式的に示されているように、マトリクス状に配列された有機ＥＬ素子Ｅｄの各行及び各列に対応するように配列されている。
これにより、各有機ＥＬ素子Ｅｄは、例えば、走査線１３ごと線順次に選択されることでデータ線１６を通じた前記色データＹｃの供給を受ける。有機ＥＬ素子Ｅｄは、その後、適宜のタイミングで当該色データＹｃに基づいて発光する。
この際、本実施形態では、１個の色を表現するため、３個の有機ＥＬ素子Ｅｄが１セットとして利用されるので、画素値Ｘ０からの前記色データＹｃの算出態様、あるいは画素値Ｘ０それ自体の構成をどのようにするか等については、かかる観点が考慮される。
【００３７】
ＬＱ駆動回路２０１は、前記輝度データＹｂに基づいて、液晶パネル２０を駆動する（図１も参照）。このＬＱ駆動回路２０１は、液晶パネル２０に備えられた走査線２３及びデータ線２６のそれぞれを駆動するための回路を含む。これら走査線２３及びデータ線２６は、図３に模式的に示されているように、マトリクス状に配列された液晶素子Ｌｄの各行及び各列に対応するように配列されている。
これにより、各液晶素子Ｌｄは、例えば、走査線２３ごとに線順次に選択されることでデータ線２６を通じた前記輝度データＹｂの供給を受ける。液晶層ＬＱ内の液晶分子の配向状態は、当該輝度データＹｂに基づいて変更を受けるが、液晶素子Ｌｄは、これによって、有機ＥＬパネル１０由来の光の、当該液晶素子ＬＱに関する透過率を調整する（図２参照）。
【００３８】
制御回路Ｃは、本実施形態に係る電気光学装置１全体の調和的な動作を司り、特に図３に示すように、ＥＬ駆動回路１０１及びＬＱ駆動回路２０１の制御を通じて、両者の動作タイミングをシンクロさせること等の調整等を行う。より具体的には、前述のように、本実施形態では、１個の液晶素子Ｌｄに対して、３個の有機ＥＬ素子Ｅｄが対応していることから、一例として言えば、後者は前者の大体３倍の速度で駆動される必要があり、かつ、３個の有機ＥＬ素子Ｅｄの駆動終了の時点と、１個の液晶素子Ｌｄの駆動終了の時点とは概ね一致していることが好ましい、等々の制約がある。制御回路Ｃは、かかる制約に配慮しながら、ＥＬ駆動回路１０１及びＬＱ駆動回路２０１、ひいては有機ＥＬパネル１０及び液晶パネル２０の制御を行う。
もっとも、具体的な制御手法については、上記以外にも様々なものがあり得る。本発明は、基本的に、どのような手法であっても、その範囲内に収める。
【００３９】
次に、以上に述べた本実施形態に係る電気光学装置１の作用（特に、その動作の一例）及び効果について、既に参照した図１乃至図３に加えて、図４及び図５を参照しながら説明する。
なお、図４では、簡単のため、３個の有機ＥＬ素子ＥｄＲ，ＥｄＧ，ＥｄＢを１セットとした場合における、その４セット分、及び、それらに対応する４個の液晶素子Ｌｄだけを用いた画像表示例が示されている（以下では、３個の有機ＥＬ素子ＥｄＲ，ＥｄＧ，ＥｄＢの１セットを、（１個の）「画素」と呼ぶことがある。また、この「１セット」に対応する液晶素子Ｌｄの１個をも（１個の）「画素」と呼ぶことがある。）。
【００４０】
まず、本実施形態に係る電気光学装置１は、図４の最上段に示すように、画素値Ｘ０から算出された色データＹｃに基づき、３個の有機ＥＬ素子ＥｄＲ、ＥｄＧ，ＥｄＢでもって、１個の色を表現する。すなわち、図４では、図中左上隅及び左下隅の画素によって、色Ｃ１をもつ画像が表現され、図中右上隅及び右下隅の画素によって色Ｃ２をもつ画像が表現されている。
この場合、これらの色Ｃ１、Ｃ２等々の表現は、より実際的には、加法混色の原理に従った、各有機ＥＬ素子ＥｄＲ、ＥｄＧ，ＥｄＢの発光強度の調整を通じて行われる。例えば、色Ｃ１を表現するためには、有機ＥＬ素子ＥｄＲ、ＥｄＧ，ＥｄＢそれぞれの発光強度が、具体的定数であるα１〔％〕，β１〔％〕，γ１〔％〕、等と設定される、等というようである（図４参照）。なお、この設定は、色データＹｃの具体的値の如何に基づき、画素電極１１３及び対向電極１５間にどの程度の電流が流されるかによる。
このような３個の有機ＥＬ素子Ｅｄに関する一体的取扱いと、人間の視覚能力との関係等から、視認者には、「画素」を１個の単位的構成として、色Ｃ１なり、色Ｃ２なりが認識されうることになる。
【００４１】
他方、これと同時に、電気光学装置１は、図４の中段に示すように、前記と同じ画素値Ｘ０から算出された輝度データＹｂに基づき、１個の液晶素子Ｌｄでもって、１個の輝度を表現する。すなわち、図４では、図中左上隅の画素によって輝度Ｙ１をもつ画像が表現され、図中左上隅及び右下隅の画素によって輝度Ｙ２をもつ画像が表現され、図中右下隅の画素によって輝度Ｙ３をもつ画像が表現されている。
ただし、この場合、輝度が表現されるといっても、液晶パネル２０それ自身には発光能力はないので、それは、前述した有機ＥＬ素子Ｅｄの発光を前提としてのことである。図４の中段に示す例は、仮に、液晶パネル２０に単なる白色光が照射されたとすると、それによって表示されるであろう、いわばモノトーン的な画像（あるいは、明度のみをもつ画像）を表現したものとなっている。例えば、輝度Ｙ１をもつ画像は、透過率が１００〔％〕となるように液晶分子の配向状態が調整された例、輝度Ｙ３をもつ画像は、それよりも若干小さい透過率となるように調整された例、等々を示しているのである。なお、透過率の調整、配向状態の変更は、輝度データＹｂの具体的値の如何に基づき、画素電極２１３及び対向電極２５間にどの程度の電位差が設定されるかによる。
【００４２】
以上の結果、視認者は、有機ＥＬ素子Ｅｄを発した光のうち、さらに液晶素子Ｌｄを透過してきた光を視認する。すなわち、視認者は、図４中「＋」記号で象徴的に表されているように、図４の最上段及び中段が重ね合わされた画像たる、図４の最下段に示す画像を視認することになる。
つまり視認者は、図４に示すように、図中左上隅の画素によって色Ｃ１及び輝度Ｙ１をもつ画像を認識し、図中左下隅の画素によって色Ｃ１及び輝度Ｙ２をもつ画像を認識し、図中右上隅の画素によって色Ｃ２及び輝度Ｙ２をもつ画像を認識し、図中右下隅の画素によって色Ｃ２及び輝度Ｙ３をもつ画像を認識する。
この場合、色表現上は同じ色Ｃ１をもつ画素（即ち、図中左上隅及び左下隅の画素）であっても、輝度がＹ１及びＹ２と異なっていれば、視認者に与える影響は異なることになる。同様のことは、同じ色Ｃ２をもつ画素（即ち、図中右上隅及び右下隅の画素）についてもいえる。また、いま述べたような場合とは逆に、仮に同じ輝度データＹｂによって液晶素子Ｌｄが駆動されたとしても、当該液晶素子Ｌｄへの有機ＥＬ素子Ｅｄからの照射光の色が異なれば、やはり、視認者に与える影響は異なることになる（図中、左下隅及び右上隅の画素を対比参照。）。
要するに、本実施形態においては、色は同じだが輝度ないし明度だけが異なる画像、あるいはその逆に、輝度ないし明度は同じだが色は異なる画像、といったように、より微妙な、あるいはより繊細な画像表現が可能となっているのである。
【００４３】
このような画像構成の様子は、図５に示すような色度図を用いながら説明することも可能である。
図５は、いわゆるｘｙ色度図である。この図において、概ね砲弾型の形で囲われた領域は、人間の認識可能な色の範囲（色域）を表している。その領域の中心付近から周辺に行くほど彩度が大きくなる。また、その領域の周囲を巡る数値は色相を表している。
他方、当該領域内において、三角形で囲われた領域は、ＲＧＢ表色系で表現可能な色域を表している。このうち、符号Ｃｔが付された点は、ホワイト・ポイントである。また、図中記された「赤」、「緑」等々の文字は、そのそれぞれが位置する場所の色を視認者が認識した場合に感じるであろう、概ねの色名を表している。例えば、ｘ＝０．２、ｙ＝０．１あたりの色を視認者が認識する場合、その者は、それを「青」と判断する蓋然性が高い、ということである。
【００４４】
このような図５では、前記砲弾型の形の内部、あるいは前記三角形の内部において、いわば純粋なかたちで（言い換えると、明度の影響のない状態で）、色度ないしは色味が表現されているといえる。
そして、このことは、図４の最上段に示す画像、即ち有機ＥＬ素子Ｅｄによる色調整ないし色変調と深い関わりがある。つまり、本実施形態に係る有機ＥＬパネル１０は、図５に示す色度図上のある所定値をとるｘ及びｙに対応する色を表現している（即ち、発光している）とみることができるのである。例えば、仮に、色データＹｃが、有機ＥＬ素子ＥｄＲ，ＥｄＧ，ＥｄＢの３個のそれぞれについて、Ｙｃ（Ｒ），Ｙｃ（Ｇ），Ｙｃ（Ｂ）からなるデータとして構成されると仮定するなら、これらＹｃ（Ｒ），Ｙｃ（Ｇ），Ｙｃ（Ｂ）は、表示しようとする色Ｃｊに対応するｘｊ及びｙｊの関数である（即ち、前者は、後者に対して所定の演算・操作等を施すことによって導かれ得る。）、ということが少なくともいえるのである。
【００４５】
一方、図４の中段に示す画像、即ち液晶素子Ｌｄによる輝度調整ないし輝度変調は、図５との関係では、一応、次のように説明可能である。
まず、仮に、前記画素値Ｘ０がＲＧＢ表色系を前提とした色情報をもっているとすれば、このＲＧＢ表色系とｘｙＹ表色系との間には、一般に、
X = 0.607 R + 0.174 G + 0.200 B
Y = 0.299 R + 0.587 G + 0.114 B
Z = 0.000 R + 0.066 G + 1.116 B
という関係があるから、明度Ｙは、このうちの第２式によって求めることが可能である。前述した輝度データＹｂは、このようにして求められたＹに基づいて求められ得ることになる（場合によっては、簡単に、Ｙｂ＝Ｙとしてもよい。）。
ここで、図５中のｘ及びｙの値（色度座標）は、それぞれ、上述のＸ，Ｙ，Ｚを用いて、ｘ＝Ｘ/（Ｘ＋Ｙ＋Ｚ），ｙ＝Ｙ/（Ｘ＋Ｙ＋Ｚ）という換算式によって求めることができるが、Ｙについては、図５の上では表現できない（上述のように、図５は、彩度及び色相を表示するが、明度（輝度）Ｙについては、いわばそれを表示するための領域を欠く）。そこで、上述の明度Ｙないし輝度データＹｂは、図５において紙面を貫く方向に明度の増減を表現する軸（Ｙ軸）をとれば一応表すことが可能になる（図６参照。なお、図６については後に改めて触れる。）。
明度Ｙないし輝度データＹｂと図５との関係は、例えば、以上のように説明される。
【００４６】
なお、図３に示したＹＣ分離回路４０２における、色データＹｃ及び輝度データＹｂの算出処理は、基本的に上に説明したところを基礎とした上で、実行可能である。
例えば、輝度データＹｂは、上述した、ＲＧＢ表色系とｘｙＹ表色系との間の換算式に基づいて求められ、また、色データＹｃは、上述のように、ある特定の値をとるｘ，ｙの関数として、あるいは換言すれば、Ｙｃ＝Ｆ（ｘ，ｙ）（Ｆは適当な演算子）として求められるのである。
なお、後者に関しては、色データＹｃも画素値Ｘ０から求められる値であること（図３及びその説明参照）、また、画素値Ｘ０がＲＧＢ表色系を前提とした色情報をもっている場合、当該色情報は明度に係る情報をもいわば織り込み済みであると考えられること等から、色データＹｃに先んじて輝度データＹｂが算出されている場合には、より厳密に言えば、色データＹｃは、Ｙｃ＝Ｆ（ｘ，ｙ，Ｙｂ）、Ｙｃ＝Ｆ（Ｒ，Ｇ，Ｂ，Ｙｂ）、あるいはより広く、Ｙｃ＝Ｆ（Ｘ０，Ｙｂ）として求められる、ということもできる。
概ね以上のようではあるが、画素値Ｘ０から、色データＹｃ及び輝度データＹｂを求める際の考え方には、上記以外にも様々なものがあり得る。本発明は、基本的に、それらのすべてを包含する。
【００４７】
以上述べた電気光学装置１によれば、次のような効果が奏される。
（１）  まず、本実施形態に係る電気光学装置１によれば、有機ＥＬパネル１０が、純粋な意味における色度あるいは色味の調整だけを行い、液晶パネル２０が、輝度の調整だけを行うことになるので、色再現を十分に行いながら、なお輝度の調整をも十分に行うことが可能になる。
【００４８】
このことは、例えば図６の説明から、より明瞭になる。
まず、図６は、図５のｘｙ色度図をいわば寝かせた状態にして、第３軸たるＹ軸を便宜的に一紙面上に表現したものであるが、この図６において、例えば点Ａから点Ｂへの色変調を行う場合を考える。
この際、例えば従来のように、１個の電気光学パネルだけを用いた色変調を行う場合を考えると、ｘｙ平面に沿った点Ａから点Ｂへの遷移を意図しているにもかかわらず、現実には、図６に示すような点Ａから点Ｂ’への遷移を実現してしまうおそれがあった。その理由は、既に〔発明が解決しようとする課題〕の項で述べた通りである。すなわち、このような場合においては、原理上、光透過率、あるいは発光強度だけの調整を通じて、明度と色合いの双方の調整を行う必要があるため、色度だけを変調したいという意図とは関係なく、意図しない明度の上昇又は下降を生じさせてしまう可能性が大きいのである（なお、図６は、ここに述べたような事情の直感的把握に資するが、当該の図は、既に述べているようにあくまでも“便宜的”な表現である。）。
しかるに、本実施形態では、このような不具合は生じない。これは、既に述べたように、有機ＥＬパネル１０が、色の変調ないし調整を専門に受け持つようになっているからである。したがって、点Ａから点Ｂの変調は、図５に示すように、あたかもその紙面上に沿った、それらの点Ａ・Ｂ間の遷移が行われるが如くにして、行われるのである（仮に、図６に示すような点Ｂから点Ｂ’への遷移をも実現したい場合は、それは言うまでもなく、液晶パネル２０が担当することになる。）。
【００４９】
（２）  このように、色及び輝度の調整が別々に行われることに関連して、本実施形態に係る電気光学装置１においては、輝度データＹｂに、所定期間ごとに、表示しようとする画像の全部又は一部の輝度を０にするようなデータを含ませるようにしておくのが好ましい。このようにしておくと、表示画像の１単位・１単位を仮に時系列に沿って並べて眺めるとするならば、その画像列には、前記所定期間ごとに“黒画像”が挟まれていくことになる。これにより、当該表示画像が例えば動画像であるような場合には、いわゆる動きボケの発生を抑制することが可能となる。
この点、動きボケの解消を図るため、従来の技術では、例えば、所定期間ごとにバックライトを消灯する等の手法を用いるもの等があったが、本実施形態では、色及び輝度調整が独立に行われることを前提として、単に輝度データＹｂの内容の変更・調整を行えばよいことになる。つまり、本実施形態によれば、同じ効果を得るのに、遥かに簡易な手法によることができるという利点が得られるのである。
【００５０】
（３）  本実施形態に係る電気光学装置１によれば、自発光する有機ＥＬパネル１０が具備されており、かつ、当該有機ＥＬパネル１０が、あたかも液晶パネル２０用のバックライトとしての機能をも担うかの如き構成が採用されているので、〔発明が解決しようとする課題〕の項で述べたような、バックライトに由来する問題は発生し得ない。すなわち、本実施形態では、いわば素の意味におけるバックライトは不要であるから、その発する光の波長成分の偏り等について心配する必要がなくなる結果、前述した各種の効果は、本実施形態においてより実効的に奏されるのである。
【００５１】
（４）  さらに、本実施形態に係る電気光学装置１によれば、色及び輝度を表現するために各別のビット列等からなる色データＹｃ・輝度データＹｂを用いることが可能だから、色調整・輝度調整をより微細に行うことが可能である。この点、前述のような１個の電気光学パネルによる色・輝度調整を行う場合では、１個のビット列データに、それら色・輝度調整用の双方のデータを含ませる必要があるため、より微細な表現には適していない。
あるいは、本実施形態にかかる電気光学装置１によれば、画像のコントラスト比を増大させること等も可能になる。これは、理論上は、有機ＥＬパネル１０及び液晶パネル２０のコントラスト比の積が、本実施形態に係る電気光学装置１全体のコントラスト比を決定することになるからである。
【００５２】
（５）  加えて、本実施形態に係る電気光学装置１によれば、３個の有機ＥＬ素子Ｅｄに対して、１個の液晶素子Ｌｄが対応する構造が採用されているので、当該液晶素子Ｌｄの数が相対的に多くはならない（図１等参照）。したがって、その分、当該液晶素子Ｌｄを駆動するための制御回路の構成を簡易化することができる、あるいは、その分のコスト低廉化を実現することができるという利点も得られる。
【００５３】
以上、本発明に係る実施の形態について説明したが、本発明に係る電気光学装置は、上述した形態に限定されることはなく、各種の変形が可能である。
（１）  上記実施形態では、３個の有機ＥＬ素子Ｅｄに対して、１個の液晶素子Ｌｄが対応する構造が採用されているが、本発明は、かかる形態に限定されない。
例えば、図７に示すように、電気光学装置１’は、１個の有機ＥＬ素子Ｅｄに対して、１個の液晶素子Ｌｄ’が対応する構造をもってもよい。
これによれば、各色に発光する有機ＥＬ素子ＥｄＲ，ＥｄＧ，ＥｄＢについて、その各々に応じた輝度変調を行うことが可能となる。したがって、このような形態によれば、色及び輝度に関する、よりきめ細やかな調整が可能になることが明らかであるから、電気光学装置１’は、その表示画像に関し、極めて高度の表現能力（ないし再現能力）をもつことになる。
【００５４】
（２）  上記実施形態では、有機ＥＬパネル１０は、赤色光、緑色光及び青色光それぞれ専用の有機ＥＬ物質を含む発光機能層１８Ｒ，１８Ｇ及び１８Ｂを備える構成となっているが、本発明は、かかる形態に限定されない。
例えば、図８に示すように、有機ＥＬパネル１０’は、白色光を発光する有機ＥＬ物質を含む発光機能層をもつ有機ＥＬ素子Ｅｄ’しかもたないが、その代わりに、カラーフィルタＣｆを備える構造をもってもよい（なお、図８は、図１等とは、天地が逆転していることに注意。これらの図中の座標軸の向きにつき対比参照）。
このカラーフィルタＣｆは、図８に示すように、赤色用のカラーフィルタＣｆＲ、緑色用のカラーフィルタＣｆＧ、及び青色用のカラーフィルタＣｆＢを含む。それぞれのカラーフィルタＣｆＲ，ＣｆＧ，ＣｆＢは、図示するように、その長辺がＹ方向に一致するように延びる帯様の形状をもつ。そして、このようなカラーフィルタＣｆは、例えば、封止基板１２の上に（図中観点では「下」に）、図示しない遮光膜とともに形成される。
【００５５】
このような構造では、図８に示すように、有機ＥＬ素子Ｅｄ’を発した光ＬＣは、例えばカラーフィルタＣｆＲ’を透過することによってはじめて、赤色にいわば着色されることになる。
【００５６】
このような形態であっても、上述した実施形態によって奏された作用効果と本質的に異ならない作用効果が奏されることは変わりがないことは明らかである。
しかも、本形態では、有機ＥＬ素子Ｅｄ’を製造する場合において、例えば蒸着法等を用いることが可能であるので、製造工程の短縮化、簡易化等が図られる可能性がある。すなわち、上述の実施形態では、隔壁３４０により区画された空間ごとに（図２参照）、インクジェット法等によって有機ＥＬ物質を塗布する方法についてたまたま説明したが、図８の形態では、素子基板１１の全面にわたって一挙に発光機能層を形成することが可能となるから、そのような分別製造の手間が省ける可能性があるのである。
【００５７】
なお、カラーフィルタＣｆの具体的形状、設置方法等は、上述したところに限定されるわけではない。それとは異なる形状、あるいは設置方法等が採用されても、当然よい。
また、本発明においては、いま述べたようなカラーフィルタＣｆを用いる形態、あるいは、上記実施形態のように、各色発光用の有機ＥＬ素子Ｅｄを備える形態のいずれに対しても適用可能であるのは当然、場合によっては、両者を併せ持つ形態に対しても適用が可能である。すなわち、例えば、赤色発光用の有機ＥＬ素子ＥｄＲを発した赤色光が、更に赤色用のカラーフィルタＣｆＲを透過する、などというようである。
このような形態によれば、有機ＥＬ素子ＥｄＲを構成する発光機能層１８Ｒの構成物質の適切な選択、あるいは、カラーフィルタＣｆＲの色調整等を通じて、よりよい、あるいはよりきめ細やかな色度調整、あるいは変調を行い得る可能性が生じる。
【００５８】
（３）  上記実施形態では、色調整・輝度調整のすべてを、有機ＥＬパネル１０及び液晶パネル２０の駆動態様の調整によってのみ行う説明がなされているが、本発明は、かかる形態に限定されない。
例えば、色調整・輝度調整は、ガンマ補正等の各種の補正処理の併用を通じて実現することも可能である。これによれば、例えば、有機ＥＬパネル１０による色調整、液晶パネル２０による輝度調整に加えて、各種の補正処理による色調整・輝度調整が併せて行われ得ることになり、その結果、更なる微細かつ繊細な色調整・輝度調整が行えることになるのは言うまでもない。
なお、上述の〔発明が解決しようとする課題〕の項においては、前記の各種の補正処理を行うことは必ずしも適切でない旨言及しているが、それはあくまで“それだけが最善手段であるわけではない”ということをその趣旨とするのであって、いま述べたところからも明らかなように、本発明は、何も、かかる補正処理を積極的に排除する意図までをも有するわけではない。
【００５９】
（４）  上記実施形態では、液晶パネル２０は、輝度調整用に用いられるため、特に前述したようなカラーフィルタＣｆ（図８参照）等を具備する構成とはなっていないが、本発明は、かかる形態に限定されない。すなわち、“カラーフィルタ”と呼びうるかどうかはともかく、よりよい色調整・輝度調整に資するための何らかの変調素子が、液晶パネル２０に備えられる場合は、あり得ないではない。
本発明は、そのような態様もその範囲内に含む。
【００６０】
（５）  上記実施形態では、液晶パネル２０は透過型であるが、場合によっては、反射型が採用されてもよい。この場合、当該の反射型液晶パネルと有機ＥＬパネル１０との間、あるいは最終的に視認者に至るまでの光路を適当に設定するために、所定形状をもつ複数のレンズからなる光学系が適当な場所に配置されるのが好ましい。
【００６１】
＜応用＞
次に、本発明に係る有機ＥＬ装置を適用した電子機器について説明する。
図９は、上記実施形態に係る電気光学装置を画像表示装置に利用したモバイル型のパーソナルコンピュータの構成を示す斜視図である。パーソナルコンピュータ２０００は、表示装置としての電気光学装置１００と本体部２０１０とを備える。本体部２０１０には、電源スイッチ２００１およびキーボード２００２が設けられている。
図１０に、上記実施形態に係る電気光学装置を適用した携帯電話機を示す。携帯電話機３０００は、複数の操作ボタン３００１およびスクロールボタン３００２、ならびに表示装置としての電気光学装置１００を備える。スクロールボタン３００２を操作することによって、電気光学装置１００に表示される画面がスクロールされる。
図１１に、上記実施形態に係る電気光学装置を適用した情報携帯端末（ＰＤＡ：Personal Digital Assistant）を示す。情報携帯端末４０００は、複数の操作ボタン４００１および電源スイッチ４００２、ならびに表示装置としての電気光学装置１００を備える。電源スイッチ４００２を操作すると、住所録やスケジュール帳といった各種の情報が電気光学装置１００に表示される。
【００６２】
本発明に係る電気光学装置が適用される電子機器としては、図９から図１１に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、ビデオプレーヤ、タッチパネルを備えた機器等が挙げられる。
【図面の簡単な説明】
【００６３】
【図１】本発明の実施の形態に係る電気光学装置の概略構成を示す分解斜視図である。
【図２】図１の電気光学装置の一部断面図である。
【図３】図１の電気光学装置を駆動するための構成を示すブロック図である。
【図４】本実施形態に係る電気光学装置において、視認対象となる画像がどのように構成されるかを説明するための説明図である。
【図５】ｘｙ色度図である。
【図６】図５の色度図を基に、第３軸たる明度（Ｙ）軸を便宜的に一紙面上に表現した図である。
【図７】本発明の実施形態の変形例に係る電気光学装置の概略構成を示す分解斜視図である。
【図８】本発明の実施形態の変形例に係る電気光学装置を構成する、有機ＥＬパネルの概略構成を示す分解斜視図である。
【図９】本発明に係る電気光学装置を適用した電子機器を示す斜視図である。
【図１０】本発明に係る電気光学装置を適用した他の電子機器を示す斜視図である。
【図１１】本発明に係る電気光学装置を適用したさらに他の電子機器を示す斜視図である。
【符号の説明】
【００６４】
１，１’……電気光学装置、１０，１０’……有機ＥＬパネル、１１……素子基板、１２……封止基板、Ｅｄ（ＥｄＲ，ＥｄＧ，ＥｄＢ），Ｅｄ’……有機ＥＬ素子、１１３……画素電極、１５……対向電極、１８（１８Ｒ，１８Ｇ，１８Ｂ）……発光機能層、Ｃｆ（ＣｆＲ，ＣｆＧ，ＣｆＢ）……カラーフィルタ、２０……液晶パネル、２１……素子基板、２２……対向基板、Ｌｄ，Ｌｄ’……液晶素子、２１３……画素電極、２５……対向電極、ＬＱ……液晶層、１０１……ＥＬ駆動回路、２０１……ＬＱ駆動回路、４０２……ＹＣ分離回路、Ｃ……制御回路、
【図１】
2010066537.tif 000003
【図２】
2010066537.tif 000004
【図３】
2010066537.tif 000005
【図４】
2010066537.tif 000006
【図５】
2010066537.tif 000007
【図６】
2010066537.tif 000008
【図７】
2010066537.tif 000009
【図８】
2010066537.tif 000010
【図９】
2010066537.tif 000011
【図１０】
2010066537.tif 000012
【図１１】
2010066537.tif 000013